(57)【要約】【課題】織機における緯糸の搬送を最適化する。【解決手段】流動搬送媒体を供給される少なくとも１つのノズル（５，６）を備えたエアジェット織機（１）の杼道を通した緯糸（４）の搬送を最適化するために、次のステップが実行される。  緯糸（４）上に不規則に分布する自然の糸電荷の、緯糸（４）に沿って変化する成分を、電極装置（１５）を用いて無接触にて検出し、電極装置（１５）における変化する総電荷を決定するステップ、  緯糸（４）の軸方向速度を決定するために総電荷の周期的変化を評価するステップ、  緯糸（４）の軸方向速度に依存して織機（１）の少なくとも１つのノズル（５，６）を制御するステップ。【選択図】図４
2009102792.tif 000002
【特許請求の範囲】
【請求項１】
流動搬送媒体を供給される少なくとも１つのノズル（５，６）により織機（１）の杼道を通して緯糸（４）を搬送する方法であって、
緯糸（４）上に不規則に分布する自然の糸電荷の、緯糸（４）に沿って変化する成分を、糸電荷に基づく静電誘導作用により無接触にて検出するステップであって、静電誘導作用に対して軸方向の糸飛走方向（１６）において位置に関連した周期的に変化する感度を有する電極装置（１５）を含む唯一のセンサ（１４）のそばを緯糸（４）が通過し、変化する総電荷が電極装置（１５）の少なくとも一部において発生し、総電荷の、時間に関連したほぼ周期的な変化がセンサ（１４）において検出され、電極装置（１５）における変化する総電荷が主成分の周りに集中した狭い帯域の周波数混合として決定され、この主成分の周波数（ｆH）が通過する緯糸（４）の軸方向速度に比例しているステップ、
緯糸（４）の軸方向速度を決定するために総電荷の周期的変化を評価するステップ、
緯糸（４）の軸方向速度に依存して織機（１）の少なくとも１つのノズル（５，６）を制御するステップ
を有する織機の杼道を通して緯糸を搬送する方法。
【請求項２】
測定装置（１１）における緯糸（４）の軸方向速度に基づいて緯糸（４）の糸先端位置が求められ、この情報が織機（１）の少なくとも１つのノズル（５，６）の制御に使用されることを特徴とする請求項１記載の方法。
【請求項３】
緯糸（４）の糸先端がノズル（５，６）の動作範囲に達したときに、少なくとも１つのノズル（５，６）が投入されることを特徴とする請求項１又は２記載の方法。
【請求項４】
織機（１）が少なくとも１つのメインノズル（５）および複数のサブノズル（６）を有し、メインノズル（５）および／または複数のサブノズル（６）が測定装置（１１）の測定結果に依存して制御されることを特徴とする請求項１乃至３の１つに記載の方法。
【請求項５】
少なくとも１つのノズル（５，６）の制御が各緯入れ時に緯糸（４）の軸方向速度に依存して行なわれることを特徴とする請求項１乃至４の１つに記載の方法。
【請求項６】
杼道を通して緯糸（４）を搬送するための流動搬送媒体を供給される少なくとも１つのノズル（５，６）を備えた織機（１）であって、
緯糸上に不規則に分布する自然の糸電荷の、緯糸（４）に沿って変化する成分を糸電荷に基づく静電誘導作用により検出する測定装置（１１）であって、静電誘導作用に対して軸方向の糸飛走方向（１６）において位置に関連した周期的に変化する感度を有する電極装置（１５）を含む唯一のセンサ（１４）のそばを緯糸（４）が通過し、変化する総電荷が電極装置（１５）の少なくとも一部において発生し、総電荷の、時間に関連したほぼ周期的な変化がセンサ（１４）において検出され、電極装置（１５）における変化する総電荷が主成分の周りに集中した狭い帯域の周波数混合として決定され、この主成分の周波数（ｆH）が通過する緯糸（４）の軸方向速度に比例している測定装置（１１）と、
緯糸（４）の軸方向速度を決定するために総電荷の周期的変化を評価する評価ユニット（１２）と、
緯糸（４）の軸方向速度に依存して織機（１）の少なくとも１つのノズル（５，６）を制御する制御ユニット（１３）と、
を備えた織機。
【請求項７】
評価ユニット（１２）が、周期的に変化する総電荷を有効信号としての周期的な電圧変化に変換することを特徴とする請求項６記載の織機。
【請求項８】
評価ユニット（１２）が、主成分以外の周波数混合の一部を抑制することを特徴とする請求項７記載の織機。
【請求項９】
評価ユニット（１２）が、主成分以外の周波数混合の一部を抑制するために、調整可能なフィルタ要素（１９）を有することを特徴とする請求項８記載の織機。
【請求項１０】
フィルタ要素（１９）が帯域フィルタであり、帯域フィルタのために、主成分の現在の測定周波数（ｆH）に応じて帯域フィルタ（１９）の中心周波数（ｆM）を自動設定するように構成された制御構成要素（２４）が設けられていることを特徴とする請求項９記載の織機。
【請求項１１】
少なくとも１つのメインノズル（５）および複数のサブノズル（６）を備え、測定装置（１１）がメインノズル（５）の後に配置されていることを特徴とする請求項６乃至１１の１つに記載の織機。
【発明の詳細な説明】
【技術分野】
【０００１】
本発明は、織機の杼道を通して、流動搬送媒体を供給される少なくとも１つのノズルにより、緯糸を搬送する方法に関する。更に本発明は、織機の杼道を通して緯糸を搬送するための流動搬送媒体を供給される少なくとも１つのノズルを備えた織機に関する。
【背景技術】
【０００２】
エアジェット織機においては、エアノズルにより指向性のエアジェットが発生させられ、エアジェットが緯糸を自由飛行にて杼道を通して運ぶ。このために多数のエアノズルグループ（メインノズル、サブノズル）が空気弁によって時間的に段階付けされて制御される。メインノズルは緯糸の加速を行なう。サブノズルは杼道を通る糸先端を案内する。
【０００３】
一般にエアノズルは、予め定義された時間規則にしたがって制御される。この場合に、開閉時点の正しい設定は、特に糸材料、空気圧力および気候条件に依存し、しばしば機織実験からの経験値に基づく。
【０００４】
緯糸の出発および到着を測定することは公知である。この場合に、緯糸の出発は織機の糸ブレーキが解放されてメインノズルが圧縮空気により作動させられる時点によって定められる。糸到着は２つの光センサによって測定される。出発と到着との間の線形補間によって糸飛走が非常に大まかにモデル化され、一般には直線の一様な運動が仮定される。その場合に、使用者画面「ノズル設定」において、生じた補間された直線が表示される。エアノズルの重大な誤設定は、この画面において認識可能であるが、パラメータの段階的な変更によって手動調整されなければならない。
【発明の開示】
【発明が解決しようとする課題】
【０００５】
本発明の課題は、このような織機における緯糸の搬送を最適化することにある。
【課題を解決するための手段】
【０００６】
この課題は、流動搬送媒体を供給される少なくとも１つのノズルにより織機の杼道を通して緯糸を搬送する方法であって、次のステップを特徴とする方法によって解決される。
緯糸上に不規則に分布する自然の糸電荷の、緯糸に沿って変化する成分を、電極装置を用いて無接触にて検出し、電極装置における変化する総電荷を決定するステップ、
緯糸の軸方向速度を決定するために総電荷の周期的変化を評価するステップ、
緯糸の軸方向速度に依存して織機の少なくとも１つのノズルを制御するステップ。
【０００７】
更に、この課題は、杼道を通して緯糸を搬送するための流動搬送媒体を供給される少なくとも１つのノズルを備えた織機であって、
緯糸上に不規則に分布する自然の糸電荷の、緯糸に沿って変化する成分を、電極装置を用いて無接触にて検出し、かつ電極装置における変化する総電荷を決定する測定装置と、
緯糸の軸方向速度を決定するために総電荷の周期的変化を評価する評価ユニットと、
緯糸の軸方向速度に依存して織機の少なくとも１つのノズルを制御する制御ユニットと、
を備えた織機によって解決される。
【０００８】
織機の杼道を通して緯糸を搬送する方法に関する本発明の有利な実施態様は次の通りである。
・測定装置における緯糸の軸方向速度に基づいて緯糸の糸先端位置が求められ、この情報が織機の少なくとも１つのノズルの制御に使用される。
・緯糸の糸先端がノズルの動作範囲に達したときに、少なくとも１つのノズルが投入される。
・織機が少なくとも１つのメインノズルおよび複数のサブノズルを有し、メインノズルおよび／または複数のサブノズルが測定装置の測定結果に依存して制御される。
・少なくとも１つのノズルの制御が各緯入れ時に緯糸の軸方向速度に依存して行なわれる。
織機に関する本発明の有利な実施態様は次の通りである。
・評価ユニットが、周期的に変化する総電荷を有効信号としての周期的な電圧変化に変換する。評価ユニットが、主成分以外の周波数混合の一部を抑制する。評価ユニットが、主成分以外の周波数混合の一部を抑制するために、調整可能な、特に自動補正可能なフィルタ要素を有する。フィルタ要素が帯域フィルタであり、帯域フィルタのために、主成分の現在の測定周波数（ｆH）に応じて帯域フィルタの中心周波数（ｆM）を自動設定するように構成された制御構成要素（２４）が設けられている。
・少なくとも１つのメインノズルおよび複数のサブノズルを備え、測定装置がメインノズルの後に配置されている。
【０００９】
緯糸の軸方向速度とは、緯糸の縦の広がり（糸軸）の方向における速度であると理解される。
【００１０】
本発明の中心思想は、緯糸の軸方向速度に依存したノズル（メインノズルおよび／またはサブノズル）のとりわけ自動的な制御にある。特に、本発明はサブノズルの制御に取り組む。このために緯糸の軸方向速度が無接触の測定法により求められる。このために必要な測定装置は、独国特許第１９９００５８１号明細書に記載された光学式でない空間フィルタ法、すなわち光学式でないセンサを用いた空間フィルタ法の原理に基づいて動作する。
【００１１】
測定方法は、緯糸上に不規則に分布する自然の糸電荷の、緯糸に沿って変化する成分を、それらの電荷に由来する静電誘導作用により検出することに基づいている。静電誘導作用に対して軸方向の糸飛走方向において位置に関連した周期的に変化する感度を有する電極装置を含む唯一のセンサのそばを緯糸が通過し、変化する総電荷が電極装置の少なくとも一部において発生し、総電荷の、時間に関連したほぼ周期的な変化がセンサにおいて検出され、電極装置における変化する総電荷が主成分の周りに集中した狭い帯域の周波数混合として検出される。この主成分の周波数は、通過する緯糸の軸方向速度に比例する。
【００１２】
測定方法および測定装置の更なる詳細に関しては、独国特許第１９９００５８１号明細書を参照されたい。この独国特許明細書の内容（詳細な説明、特許請求の範囲、図面）は、このことに関して完全に広範囲に本特許出願の中に取り込まれ、したがって本特許出願の同等の構成部分と見なすことができる。特に、段落番号［０００１］−［０００４］ならびに［００３２］−［００８２］、請求項１乃至１３および図１乃至１３が関連している。
【００１３】
特に次の点を参照されたい。すなわち、光学式でないセンサが、導電性でない中間ゾーンによって互いに隔離された導電性の格子棒からなる格子状の電極装置を有し、格子棒が互いに平行に糸近傍において接触を回避する間隔にて配置され、格子棒は、とりわけ、
そばを通過する糸に対して横方向に向けられ、
軸方向の糸飛走方向に並べられ、
グループ内においては互いに導電接続されていて、しかも軸方向の糸飛走方向において、それぞれ１つのグループの１つの格子棒と他のグループの１つの格子棒とが互いに交替し、
そばを通過する糸に対して固定のままの幾何学な対応関係にて配置され、
周期的に繰り返される順序にて並べられ、
少なくともグループ内では互いに同質である。
【００１４】
本発明により、緯糸の飛走を非常に正確にモデル化することができる。このために緯糸の軸方向速度を飛走軌道の１つ又は複数の個所で検出することができる。織機のエアノズルを自動的に設定し、あるいは調節さえもすることができる。
【００１５】
サブノズルの自動調節が特に有利である。例えば空気湿度のような障害となる環境影響を緯糸材料の材料公差と同様に補償することができる。緯入れ品質を監視し、最適化することができる。緯入れ時の問題をより正確に認識し、分類することができる。織機の装置が簡単化される。それによって必要な準備時間も短くなる。本発明により、今日使用されている比較的敏感な光学的なセンサ装置を置き換えることができる。
【発明を実施するための最良の形態】
【００１６】
以下において、図面に示された実施例に基づいて本発明を更に詳細に説明する。図面は、簡単化された部分的に概略的な表示で示されている。
図１は緯糸軌道に沿った織機の最も重要な機械部分（従来技術）を示し、
図２は機械角度設定（従来技術）の原理を示し、
図３は時間制御（従来技術）の原理を示し、
図４は本発明による制御の原理を示し、
図５は空間フィルタの原理を示し、
図６は測定装置、評価ユニットおよび制御ユニットを示し、
図７は帯域フィルタの中心周波数のシフトを示す。
【００１７】
以下に詳しく説明する図における同じ符号は、同じまたは類似の機能の要素に相当する。
【００１８】
織機１においてシャフトの運動が織機の主軸の回転角度に関連させられている。定められた回転角度から、１つのシャフトが上方に向かって、そして他の１つのシャフトが下方に向かって移動する。それによって杼道が開かれる。
【００１９】
杼道はできるだけ長く開かれているべきである。なぜならば、これは利用可能な緯入れ時間を長くするからである。
【００２０】
ここに示されている２つのシャフトを有する簡単な例では、各シャフトに、例えば経糸の半分が引っ掛かっている。２つよりも多いシャフトが存在する場合には複数の糸グループがシャフトに割り当てられている。しかしながら、本発明は、シャフトを使用しない織機にも使用可能である。緯入れは、なおも、繰り返えされる杼道の開放のもとで行なわれる。緯入れのために必要な糸長を、緯糸ボビン３が、予め巻枠に緯糸を巻いた装置２から引き出す。エアジェット織機の場合には、空気噴射ノズルにより、方向を強制されたエアジェットが発生させられ、エアジェットが緯糸４を自由飛行にて杼道を通して運ぶ。予め巻枠に緯糸を巻いた装置２から緯糸４が釈放されるや否や、（図示されていない）前段ノズルおよびメインノズル５が緯糸４をぴんと張って緯入れ速度まで加速する。今や、予め定められた機械回転角度または緯入れ周期に基づいてサブノズルグループが順々に作動させられる。到着センサ７は、いつ緯糸４が織幅に到達したかを記録する。緯糸４は、（図示されていない）吸引ノズルによって捕らえられか、もしくは（図示されていない）伸張ノズルによってまっすぐに引っ張られる。伸張ノズルの機能は最後のサブノズルグループによって受け継がれる。リード（筬、筬框）が緯糸４を仕上げ布に打ち込み、リードに存在する糸カッター８が緯糸４を切断する。引続いて、シャフトがそれらの位置を交換し、それによって一方では杼道が閉じられ、他方では経糸の交差が行なわれる。したがって緯糸４がしっかりと閉じ込められる。最後に製品引出装置が予め定められた長さだけ作動させられる。図１は緯糸４の緯入れ経路に沿った織機１の最重要部分を示す。
【００２１】
エアジェット織機においては多くの空気圧要素が使用される。エアノズル５，６の制御は電磁開閉弁もしくは圧電開閉弁を介して行なわれる。ここに説明する例では電磁開閉弁９が使用される。この場合に、電磁石によって密閉要素が開閉される。約５ｍｓの開閉時間によりこれらの構成部分は圧電弁よりも緩やかであるが、しかし大きな体積流を可能にし、低コストである。電磁開閉弁９は、「開状態」と「閉状態」との２つの状態を取り得る。
【００２２】
電磁開閉弁９の開閉時間のほかに機械制御の開閉時間が空気消費に関する重要な基準である。特にサブノズルの直列時間が制御サイクル時間のゆえに長くならざるを得なければ得ないほど、ますます空気消費が増大する。空気圧要素がエアジェット織機のエネルギー消費の５０％よりも多いエネルギー消費を引き起こすことを勘案すれば、ノズル開時間変更はエネルギー消費に大きな影響を及ぼす。開閉時間の最適化によって１０％以上のエネルギー節減が可能である。
【００２３】
織機１の正しい設定は非常に時間のかかる要求の多い課題である。したがって、繊維機械製造者は、繊維工業用の短い装備変更時間を有する機械をより魅力的に構成するために、持続的にこれらの設定過程を短縮するよう試みている。
【００２４】
従来技術から機械装置の種々の構想が知られている。基本的に、これらの構想は、それらが機械角度の設定に基づくか、それとも時間制御に基づくことによって相違する。機械角度設定の場合には、メインノズル５ならびにサブノズル６の投入時点および遮断時点が、図２に単純化されて示されているように、織機１の主軸の回転角度に依存する。これは機械装置の最も単純な形である。しかしながら、機械回転数の変更時における機械の必要な調整時間および不可欠の新しい設定は不都合なことである。このシステムでは材料特性の公差を考慮することができない。時間制御の場合には、ノズルが固定した時間で制御される。機械角度設定と違って、高コストの新たな調整を行なう必要なしに、回転数を変更することができる。ノズル制御経過全体の開始時点が主軸の回転数に応じてシフトされるだけである。空気圧の経過が、回転数の上昇に伴って早く開始され、回転数の低下に伴って遅く開始される。サブノズル６はメインノズル５の作動に基づいた時間遅れにて開閉される。このような時間制御が単純化されて図３に示されている。
【００２５】
本発明によれば、織機が、図４に示されているように、測定装置１１を装備している。更に、以下に説明するように、測定装置１１によって検出される信号により、評価ユニット１２において緯糸４の軸方向速度が求められる。これに続いて制御ユニット１３が自動的にサブノズル６を緯糸４の軸方向速度に依存して制御する。ここでの適用例に関しては、測定装置１１がメインノズル５の後に配置されているならば、特に有利であることが分かった。なぜならば、全ての糸（緯糸ロール）に対して唯一の測定装置しか必要としないからである。しかし、原理的には測定装置１１が糸飛走の任意の各位置に配置されていてよい。
【００２６】
測定装置１１は、緯糸上に不規則に分布する自然の糸電荷の、緯糸４に沿って変化する成分を、糸電荷に基づく静電誘導作用により検出するように構成されている。このために測定装置１１はセンサ１４を含み、センサ１４はこれのそばを緯糸４が通過するように配置されている。センサ１４は軸方向の糸飛走方向１６の位置に関連して周期的に変化する静電誘導作用に対する感度を有する電極装置１５を含む。センサ１４のそばを通過する緯糸４が、変化する総電荷を、電極装置１５の少なくとも一部において発生する。この場合にセンサ１４では時間に関連して近似された周期的な総電荷変化が検出され、電極装置１５における変化する総電荷は、主成分のまわりに集中した狭い帯域の混合周波数として決定される。この主成分の周波数ｆHは通過する緯糸４の軸方向速度に比例する（独国特許第１９９００５８１号明細書参照）。
【００２７】
換言するならば、本発明においては、電極装置１５を形成する２つのブリッジの間に緯糸が通過させられ静電式の空間フィルタ法が使用される（図５参照）。各ブリッジ上には交互に遮蔽電極１７および測定電極１８が配置されている。遮蔽電極１７は測定電極１８を互いに隔離する。したがって、それぞれ１つの測定電極１８においてのみ、緯糸４上に存在する電荷によって電荷シフトが影響を及ぼされる。緯糸４が更に移動すると、初期状態への電荷の復帰シフトが起こる。当該糸部分が次の測定電極１８の上方に達するや否や、その経過が改めて始まる。電荷シフト間の時間はその糸部分速度ならびに測定電極１８の間隔に依存する。速度に比例する周波数が電圧信号にて発生する。第２のブリッジは第１のブリッジと同じ構造を有し、ここでは全ての電極が電極間隔だけずらされているだけである。これは結果として、第１のブリッジが信号を供給して第２のブリッジが信号を供給しないことを、そしてその逆であることを伴う。それによって、両ブリッジの信号を差動増幅器において比較し、ノイズ作用を低減することができる。測定装置１１の空間フィルタ原理ならびに動作態様が図５に示されている。
【００２８】
評価ユニット１２は、緯糸４の軸方向速度を決定するための総電荷の周期的変化を評価するように構成されている。このために、周期的に変化する総電荷が有効信号としての周期的な電圧変動に変換される。更に、評価ユニット１２は主成分の外側の周波数混合の一部を抑制するように構成されている。このために、評価ユニット１２は、調整可能な、特に自動補正可能なフィルタ要素を有する。これは、特に帯域通過フィルタ１９である（略して、帯域フィルタ）。帯域フィルタ１９のために制御構成要素２１が設けられている。制御構成要素２１は、主成分の実際に測定された周波数ｆHに応じて帯域フィルタ１９の中心周波数を自動的に調整するように構成されている。
【００２９】
詳細には、評価ユニット１２は、図６に示すように、前段増幅器２２、帯域フィルタ１９、後段増幅器２３ならびに信号処理ユニット２４を含む。緯糸４の偶然に依存して分布する電荷からの信号が測定装置１１において発生された後に、信号が前段増幅器２２において増幅される。引続いて、更に後で詳しく説明する帯域フィルタ１９によるフィルタ処理が行なわれる。引続いて信号の後段増幅が後段増幅器２３により行なわれる。その後に続く差動増幅器を有する信号処理ユニット２４において、信号がディジタル化されるか、もしくは周波数変調された矩形信号に変換される（図５右側参照）。信号処理ユニット２４は帯域フィルタ１９のための制御構成要素２１としても用いられる。信号処理ユニット２４は、このためにとりわけＶＣＯ（電圧制御発振器）の構成部分として実施されているＰＬＬ（位相ロックループ、図示されていない。）を含む。電極装置１５の両ブリッジの信号の比較のために、信号処理ユニット２４は（図示されていない）差動増幅器も含む。
【００３０】
信号処理ユニット２４は電子データ処理ユニットであり、とりわけアナログディジタル変換器およびディジタル信号プロセッサ（ＤＳＰ）を含む。ＤＳＰの代わりに、他のディジタルマイクロコントローラ、特定用途向け集積回路（アプリケーション・スペシフィック・インテグレイティド・サーキット、ＡＳＩＣ）、プログラム可能集積回路（フィールド・プログラマブル・ゲート・アレイ、ＦＰＧＡ）またはプログラム可能論理デバイス（コンプレックス・プログラマブル・ロジック・デバイス、ＣＰＬＤ）も使用可能である。更に、信号処理ユニット２４は、データ入力ユニットおよびデータ出力ユニットと一緒に動作する従来のデータ処理プロセッサを含む。更に、データ処理ユニットはプロセッサにおいて実行するように構成されているコンピュータプログラムを含む。コンピュータプログラムは、コンピュータプログラムがデータ処理ユニットにおいて実行されるときに、信号処理ユニット２４に割り当てられた前述の処理ステップを実行しかつ前述の機能（差動増幅器等）を実現するためのコンピュータプログラムコードを含む。代替として、プロセッサにおいて実行されるコンピュータプログラムの代わりに、データ処理ユニット内に特別のディジタル回路構成（ＦＰＧＡ、ＡＳＩＣ、ＣＰＬＤ等）を設け、それの動作によって信号処理ユニット２４に割り当てられた前述の方法ステップの実行および前述の機能の実現をするように構成もしくは準備してもよい。
【００３１】
フィルタの使用は、さもなないと有用な信号利用の妨げになる信号中の（特に低周波の）外乱を除去するために必要である。可変でない固定のフィルタ要素は、緯糸の高い動特性（２００００ｍ／ｓ2までの加速度）ならびにそれにより生じるさまざまの信号のために、一方では緯入れ開始時に、そして他方では連続的な緯入れ経過において使用不能である。なぜならば、糸加速開始時に存在する有効周波数が、後の緯入れ経過において障害周波数となるからである。固定のフィルタ要素は、障害の原因となる周波数を有効信号から除去することができない。
【００３２】
調整可能なフィルタ要素の使用によって、必要なフィルタ処理が問題なく実行可能である。このために帯域フィルタ１９が現在の測定周波数に適合化される。換言するならば、測定された信号に応じたフィルタ特性の自動調整が行なわれる。このために相応に構成されかつ制御構成要素を介して制御可能な帯域フィルタ１９の中心周波数が緯糸４の現在の軸方向速度に応じて調整される（図７参照）。
【００３３】
帯域フィルタ１９の帯域幅は、とりわけ有効信号が中心周波数の更新までの時間内に帯域幅を出ることがないように設定されている。それゆえに、必要な帯域幅が、緯糸４の加速度ならびに信号処理ユニット２４によって実現されているフィルタ制御のサイクル時間に依存する。緯糸の極めて高い動特性（加速度）に基づいて、センサ信号が、例えば５ｋＨｚ／ミリ秒（例えば４ｍｍの検出電極の間隔の場合）の周波数帯域を通過するように調整される。加速開始の範囲における帯域幅は、とりわけ、約５ｋＨｚに制限されている。というのは、さもないと帯域幅が高い周波数において有意義な信号調和にとって過大になるからである。この場合に信号処理ユニット２４は中心周波数の更新を１．５ｍｓ内に行なわなければならない。使用される帯域フィルタ１９の中心周波数ｆMの確定のためにＰＬＬのクロック信号が利用される。
【００３４】
信号調和は次の機能原理を有する。緯入れの開始時に帯域通過の中心周波数ｆMが、ＰＬＬによって発生させられるクロック周波数を超えて、緯入れ初期周波数＋Ｘに置かれる。測定された有効信号およびそれから求められた周波数に応じて、信号処理ユニット２４内の制御構成要素が、新たなクロック信号を発生するＰＬＬに電圧信号を与え、この電圧信号が帯域フィルタ１９を現在の有効信号周波数＋Ｘに置く。この場合にＸは決定的に帯域フィルタ１９の帯域幅および信号処理ユニット２４内の制御構成要素のサイクル時間に依存する。
【００３５】
フィルタ要素は、高い柔軟性を有しかつ簡単なやり方でディジタル信号プロセッサの助けによりパラメータ化が可能であるディジタルフィルタであるとよい。しかし、ディジタルフィルタの代わりに、例えばＳＰＳ制御によりパラメータ化することができるＳＣフィルタ（切替容量式フィルタ）が使用されてもよい。
【００３６】
軸方向速度は、数学的関係を介して有効信号の主成分の周波数に関連づけられ、したがって信号処理ユニット２４において算定可能である。更に、積分を介して、定義された後の時点で、測定装置１１における緯糸４の軸方向速度から緯糸４の糸先端位置を求めることができる。糸長も算定可能であるので、測定装置１１は糸長センサとしても役立ち得る。要約すれば、上述の装置により、緯糸４の緯入れ経過のシミュレーションが可能である。評価ユニット１２において測定装置１１の有効信号のみならず、その他のセンサ装置の信号２５（糸出発、糸到着等）も一緒にされて評価に使用されるならば、情報の特に広範囲な評価およびこれにつながる織機１の特に正確なかつ広範囲の制御が可能である。
【００３７】
サブノズル６の制御に関連した情報が評価ユニット１２から制御ユニット１３に引き渡される。制御ユニット１３は、緯糸４の軸方向速度に依存してサブノズル６を自動制御するように構成されている。この場合にノズルの制御とは、ノズルの投入および場合によっては遮断であると理解され、ここでは電磁開閉弁９の操作によって行なわれる。換言するならば、サブノズル６の開閉時点を決定することが重要である。この場合に制御ユニット１３は、グループごとに配置されたサブノズル６が、緯糸４の糸先端がサブノズルの動作範囲に達したときに、順々に投入されるように構成されているとよい。サブノズル６の制御時点の１度だけの設定のみならず、サブノズル６の制御が各緯入れ時にフィードバック制御が存在するように自動的に行なわれるとよい。サブノズル６の制御のために制御ユニットが制御信号２６を出力する（図６参照）。
【００３８】
測定装置１１の必要な測定精度は２つの基準に依存する。一方ではエアノズル区間のために使用される制御に依存し、他方では運び入れる糸の速度に依存する。基本的には制御ユニット１３はサブノズル６の制御のための信号を予め与える。この準備時間は、少なくとも、（電磁開閉弁の遅れを含めた）ノズル開時間込みのノズル制御信号の印加までの時間（したがって、制御側で制約される遅れ）に等しい。
【００３９】
制御ユニット１３は各サイクル開始時にのみ信号を出力するとよい。この場合に「サイクル」とは、次の全ての入力パラメータの読み込みおよび全ての出力パラメータの出力までの時間であると理解される。したがって、測定装置１１の測定誤差は１サイクル内の糸飛走長の半分より小さくなければならない。具体例では、１．５ｍｓのサイクル時間において、試験された糸材料に関して、ごく僅かのセンチメートルの公差範囲がもたらされる。測定装置１１の精度の向上は、緯入れ開始および緯入れ終了への信号の正確な応答によって達成される。
【図面の簡単な説明】
【００４０】
【図１】緯糸経路に沿った織機の最も重要な機械部分（従来技術）を示す概略図
【図２】機械角度設定（従来技術）の原理を示す概略図
【図３】時間制御（従来技術）の原理を示す概略図
【図４】本発明による制御の原理を示す概略図
【図５】空間フィルタの原理を示す概略図
【図６】測定装置、評価ユニットおよび制御ユニットを示すブロック図
【図７】帯域フィルタの中心周波数のシフトを示すダイアグラム
【符号の説明】
【００４１】
１          織機
２          予め巻枠に緯糸を巻いた装置
３          緯糸ボビン
４          緯糸
５          メインノズル
６          サブノズル
７          到着センサ
８          糸カッター
９          電磁開閉弁
１１        測定装置
１２        評価ユニット
１３        制御ユニット
１４        センサ
１５        電極装置
１６        糸飛走方向
１７        遮蔽電極
１８        測定電極
１９        帯域通過フィルタ
２１        制御構成要素
２２        前段増幅器
２３        後段増幅器
２４        信号処理ユニット
２５        信号
２６        制御信号
【図１】
2009102792.tif 000003
【図２】
2009102792.tif 000004
【図３】
2009102792.tif 000005
【図４】
2009102792.tif 000006
【図５】
2009102792.tif 000007
【図６】
2009102792.tif 000008
【図７】
2009102792.tif 000009